(57)【要約】【課題】従来よりも取扱いが容易かつ安価であり、水路を流れる水から汚染物質を除去する浄化技術を提供する。【解決手段】汚染物質の除去装置であって、表面にゼオライトが被覆された骨材を含む多孔質コンクリートブロックであって、前記骨材の寸法と前記６骨材間に形成される空隙の割合である空隙率とのうち少なくとも何れか一方が異なる複数の多孔質コンクリートブロックと、前記複数の多孔質コンクリートブロックを、前記汚染物質が流れる水路内で支持するブロック固定ユニットと、を備える。【選択図】図１
2013234948.tif 000002
【特許請求の範囲】
【請求項１】
汚染物質の除去装置であって、
表面にゼオライトが被覆された骨材を含む多孔質コンクリートブロックであって、前記骨材の寸法と前記骨材の間に形成される空隙の割合である空隙率とのうち少なくとも何れか一方が異なる複数の多孔質コンクリートブロックと、
前記汚染物質で汚染された水が流れる水路内で、前記複数の多孔質コンクリートブロックを支持するブロック固定ユニットと、
を備える汚染物質の除去装置。
【請求項２】
前記複数の多孔質コンクリートブロックは、前記水の流れにおいて上流側の多孔質コンクリートブロックの骨材寸法が下流側の多孔質コンクリートブロックの骨材寸法よりも大きい、請求項１に記載の汚染物質の除去装置。
【請求項３】
前記複数の多孔質コンクリートブロックは、前記水の流れにおいて上流側の多孔質コンクリートブロックの空隙率が下流側の多孔質コンクリートブロックの空隙率よりも大きい、請求項１又は２に記載の汚染物質の除去装置。
【請求項４】
前記複数の多孔質コンクリートブロックは、前記水の流れにおいて上流側から下流側に向けて、多孔質コンクリートブロックの骨材寸法と空隙率とのうち少なくとも何れか一つが段階的に変化する、請求項１から３の何れか１項に記載の汚染物質の除去装置。
【請求項５】
前記ブロック固定ユニットは、
前記多孔質コンクリートブロックを保持し、垂直方向に複数段設けられた複数の保持部を有する請求項１から４の何れか１項に記載の汚染物質の除去装置。
【請求項６】
前記ブロック固定ユニットは、
前記多孔質コンクリートブロックを保持し、垂直方向に複数段設けられた複数の保持部と、
前記複数の保持部の一端が接続されるヒンジ部と、
前記ヒンジ部が設けられ、前記複数の保持部を、前記ヒンジ部を軸として回動自在に支持する支持部と、を有する請求項１から５の何れか１項に記載の汚染物質の除去装置。
【発明の詳細な説明】
【技術分野】
【０００１】
本発明は、汚染物質の除去装置に関する。
【背景技術】
【０００２】
透水性の多孔質コンクリート（例えば、ポーラスコンクリート）は、空隙に植物の生育や微生物の生息が可能であり、緑化用のコンクリートとして用いられている（例えば、特許文献１を参照）。また、多孔質コンクリートは、空隙が大きく、吸音特性も有することから、吸音材としても用いられている（例えば、特許文献２を参照）。
【０００３】
また、河川の浄化装置として、セメントをバインダーとして骨材とゼオライト粒を結合した三角推形状の浄化ブロックを用いたものがある（例えば、特許文献３を参照）。
【先行技術文献】
【特許文献】
【０００４】
【特許文献１】特開２００４−３１６２２９号公報
【特許文献２】特開２００３−２２７２９７号公報
【特許文献３】特開平８−２７６１９８号公報
【発明の概要】
【発明が解決しようとする課題】
【０００５】
放射能に汚染された水には、イオン化したセシウムと粘土物質に吸着したセシウムの２形態が考えられる。イオン化したセシウムの除去技術としは、ゼオライト鉱物あるいは、プルシアンブルーを用いてイオン交換し、フィルター材を通して水を浄化する技術がある。また、粘土等に吸着したセシウムの除去技術としては、様々な凝集沈殿剤を用いてフロックを形成させ、清濁分離することにより、水を浄化する技術がある。
【０００６】
ここで、放射性物質や重金属などの汚染物質に汚染された水は、水路を流れて、川や海に排出される。水路を流れる水から放射性物質を除去することができれば、汚染された水が川や海に排出するのを抑制することができる。しかしながら、水路は広範囲に設置されていることから、水路を流れる水から汚染物質を除去するためには、従来よりも簡易かつ安価な浄化技術の開発が必要となる。
【０００７】
本発明は、上記の問題に鑑み、従来よりも取扱いが容易かつ安価であり、水路を流れる水から汚染物質を除去する浄化技術を提供することを課題とする。
【課題を解決するための手段】
【０００８】
本発明では、上記課題を解決するため、空隙率が異なる多孔質コンクリートブロックを水路に複数並べて設置することとした。
【０００９】
詳細には、本発明は、汚染物質の除去装置であって、表面にゼオライトが被覆された骨材を含む多孔質コンクリートブロックであって、前記骨材の寸法と前記骨材の間に形成される空隙の割合である空隙率とのうち少なくとも何れか一方が異なる複数の多孔質コンクリートブロックと、前記汚染物質で汚染された水が流れる水路内で、前記複数の多孔質コンクリートブロックを支持するブロック固定ユニットと、を備える。
【００１０】
本発明に係る汚染物質の除去装置では、水路を流れる水の汚染物質が、多孔質コンクリートブロックに吸着あるいは物理的に捕捉される。汚染物質には、放射性物質や重金属が
例示される。また、本発明に係る汚染物質の除去装置で吸着あるいは捕捉可能な汚染物質には、水に溶けてイオン化しているもの、粘土等に吸着され懸濁物質として存在しているものも含まれる。多孔質コンクリートブロックは、骨材寸法や空隙率が異なる複数のブロックが組み合わされており、水の流速や流量、水に含まれる汚染物質の種類や量が異なる場合でも、効果的に汚染物質を吸着・捕捉することができる。また、複数の多孔質コンクリートブロックは、固定ユニットで支持されており、水の流れによって分離することもなく、また、水路内から容易に取り出すことができる。また、複数の多孔質コンクリートブロックのうち、一部の多孔質コンクリートブロックの吸着・捕捉性能が低下した場合は、吸着・捕捉性能が低下した多孔質コンクリートブロックのみを交換することができる。多孔質水コンクリートブロックは、例えば、ゼオライト、骨材（例えば、砕石）を含む、ポーラスコンクリートによって構成することができる。そのため、ゼオライト鉱物あるいは、プルシアンブルーによりイオン交換し、フィルター材を通して水を浄化する従来技術や、凝集沈殿剤を用いてフロックを形成させ、清濁分離することにより、水を浄化する従来技術と比較して、取扱いが容易でかつ安価な汚染物質の除去装置を提供することができる。多孔質コンクリートブロックは、空隙を有し、かつ、望ましくはこの空隙の割合をコントロールできるものであればよく、ポーラスコンクリートブロックに限定されない。なお、水路は、汚染物質に汚染された水が存在していればよく、水路には、排水側溝や集水桝が例示される。
【００１１】
本発明に係る汚染物質の除去装置において、前記複数の多孔質コンクリートブロックは、前記水の流れにおいて上流側の多孔質コンクリートブロックの骨材寸法が下流側の多孔質コンクリートブロックの骨材寸法よりも大きくしてもよい。また、前記複数の多孔質コンクリートブロックは、前記水の流れにおいて上流側の多孔質コンクリートブロックの空隙率が下流側の多孔質コンクリートブロックの空隙率よりも大きくしてもよい。上流側の多孔質コンクリートブロックの骨材寸法や空隙率を下流側よりも大きくすることで、より効果的に汚染物質を吸着・捕捉することができる。
【００１２】
また、本発明に係る汚染物質の除去装置において、前記複数の多孔質コンクリートブロックは、前記水の流れにおいて上流側から下流側に向けて、多孔質コンクリートブロックの骨材寸法と空隙率とのうち少なくとも何れか一つが段階的に変化するようにしてもよい。例えば、上流側の骨材寸法や空隙率を最も大きくする態様が例示される。これにより、より効果的に汚染物質を吸着・捕捉することができる。また、上流側の多孔質コンクリートブロックの吸着・捕捉性能が最も早く低下することが想定されるが、この場合、吸着・捕捉性能が低下した多孔質コンクリートブロックのみを交換することができる。
【００１３】
ここで、本発明に係る汚染物質の除去装置において、前記ブロック固定ユニットは、前記多孔質コンクリートブロックを保持し、垂直方向に複数段設けられた複数の保持部を有する構成としてもよい。
【００１４】
水路では、水路の垂直方向の位置によって、配置される多孔質コンクリートブロックの吸着・捕捉性能が異なる可能性がある。例えば、水路の底部は常に水が流れていることから、水路の底部側の多孔質コンクリートブロックの吸着・捕捉性能が最も早く低下する可能性が高い。本発明は、このような課題に鑑み、多孔質コンクリートブロックを垂直方向に複数段設けられた保持部によって保持することとした。その結果、交換対象となる多孔質コンクリートブロックの上面側に位置する保持部を上方に移動させることで、移動させた保持部の下に位置する多孔質コンクリートブロックを容易に交換することができる。
【００１５】
なお、前記ブロック固定ユニットは、前記多孔質コンクリートブロックを保持し、垂直方向に複数段設けられた複数の保持部と、前記複数の保持部の一端が接続されるヒンジ部と、前記ヒンジ部が設けられ、前記複数の保持部を、前記ヒンジ部を軸として回動自在に
支持する支持部と、を有する構成としてもよい。本発明では、多孔質コンクリートブロックを垂直方向に複数段設けられた保持部によって保持させ、更に、この保持部をヒンジ部を軸として回動できるようにした。その結果、交換対象となる多孔質コンクリートブロックの上面側に位置する保持部をヒンジ部を軸として回動して持ち上げることで、持ち上げた保持部の下に位置する多孔質コンクリートブロックを容易に交換することができる。すなわち、片側のみを持ち上げることで、持ち上げた保持部の下に位置する多孔質コンクリートブロックを容易に交換することができる。
【発明の効果】
【００１６】
本発明によれば、従来よりも取扱いが容易かつ安価であり、水路を流れる水から汚染物質を除去する浄化技術を提供することができる。
【図面の簡単な説明】
【００１７】
【図１】第一実施形態に係る汚染物質の除去装置の斜視図を示す。
【図２】第一実施形態に係る汚染物質の除去装置が汚染物質を除去する様子を説明するイメージ図を示す。
【図３】第一実施形態に係る汚染物質の除去装置の変形例を示す。
【図４】第二実施形態に係る汚染物質の除去装置の上面図を示す。
【図５】第二実施形態に係る汚染物質の除去装置の側面図を示す。
【図６】第二実施形態に係る汚染物質の除去装置において、人工ゼオライトブロックを交換する様子を示す。
【図７】第三実施形態に係る汚染物質の除去装置の上面図を示す。
【図８】第三実施形態に係る汚染物質の除去装置の側面図を示す。
【図９】第三実施形態に係る汚染物質の除去装置において、コンクリートブロックを交換する様子を示す。
【発明を実施するための形態】
【００１８】
次に、本発明の実施形態について図面に基づいて説明する。以下の実施形態では、汚染物質として、イオン化している放射性セシウム（ＣS）と粘土等に吸着した懸濁物質を含
む水を浄化する場合を一例として説明する。但し、以下で説明する実施形態は本発明を実施するための例示であり、本発明は以下で説明する態様に限定されない。例えば、汚染物質には、重金属なども含まれる。
【００１９】
＜第一実施形態＞
＜＜構成＞＞
第一実施形態に係る汚染物質の除去装置１（以下、単に除去装置ともいう。）は、複数の人工ゼオライトブロック２（本発明の多孔質コンクリートブロックに相当する。）、じゃかご１０によって構成されている。除去装置１は、排水側溝や集水桝に設置することができる。図１は、除去装置１を排水側溝３に設置した様子を示す。除去装置１を排水側溝３や集水桝４（集水桝への設置例については、第二実施形態で説明する。）に設置することで、降雨や洗浄水などから流入する放射性汚染物質を人工ゼオライトブロック２に吸着・捕捉させることができる。その結果、排水側溝２内や集水桝３内において、汚染物質の堆積や拡散を抑制することができる。
【００２０】
人工ゼオライトブロック２は、骨材の表面をゼオライトを混入したペースト状の結合材で被覆し、骨材同士を結合材で固化することで形成されている。骨材には、天然の砕石、天然のゼオライト骨材、粉状の人工ゼオライトを造粒した人工ゼオライト造粒物が例示される。骨材の粒径は、例えば２ｍｍ以上とすることができる。
【００２１】
第一実施形態に係る人工ゼオライトブロック２は、四角柱である。人工ゼオライトブロ
ック２は、例えば１０ｃｍ×１０ｃｍ×２０ｃｍとすることができる。なお、人工ゼオライトブロック２の形状や寸法は、隣接する人工ゼオライトブロック２との密着性、排水側溝や集水桝の形状や寸法、水量などを考慮して適宜設計することができる。例えば、人工ゼオライトブロック２は、中空の円筒形状、三角柱状、Ｌ字状、プレート状とすることができる。
【００２２】
第一実施形態に係る除去装置１は、骨材寸法が異なる３種類の人工ゼオライトブロック２によって構成されている。第一の人工ゼオライトブロック２１は、骨材として５号砕石（サイズ：２０ｍｍ〜１３ｍｍ）が使用され、第一の人工ゼオライトブロック２１における空隙の割合を示す空隙率は２０％である。第二の人工ゼオライトブロック２２は、骨材として６号砕石（サイズ：１３ｍｍ〜５ｍｍ）が使用され、第二の人工ゼオライトブロック２２における空隙の割合を示す空隙率は２０％である。第三の人工ゼオライトブロック２３は、骨材として７号砕石（サイズ：５ｍｍ〜２．５ｍｍ）が使用され、第三の人工ゼオライトブロック２３における空隙の割合を示す空隙率は２０％である。そして、第一の人工ゼオライトブロック２１が上流側に３本縦置きで設置され、第三の人工ゼオライトブロックが下流側に３本縦置きで設置され、第二の人工ゼオライトブロック２２がその間に３本縦置きで設置されている。なお、全ての人工ゼオライトブロック２が隙間なく設置されている。
【００２３】
じゃかご１０は、本発明の固定ユニットに相当し、複数の人工ゼオライトブロック２を固定する。じゃかご１０は、ワイヤメッシュによって構成され、複数の人工ゼオライトブロック２を収容可能な大きさを有している。
【００２４】
＜＜作用効果＞＞
図２は、第一実施形態に係る汚染物質の除去装置が汚染物質を除去（吸着・捕捉）する様子を説明するイメージ図を示す。図２の矢印は、汚染された水の流れを示す。図２に示すように、水には、イオン化した放射性セシウムと粘土等に吸着された放射性セシウムが含まれており、懸濁物質として浮遊している。この汚染された水は、第一の人工ゼオライトブロック２１、第二の人工ゼオライトブロック２２、第三の人工ゼオライトブロック２３を順に通過する。イオン化した放射性セシウムは、骨材の表面に被覆されたペースト状のゼオライトに吸着する。また、骨材間には空隙が形成されており、粘土等に吸着した放射性セシウム（懸濁物質）は、空隙内に閉じ込められ捕捉される。すなわち、汚染物質としての、水に含まれるイオン化した放射性セシウムや懸濁物質中の放射性セシウムが、人工ゼオライトブロック２内を通過することで、人工ゼオライトブロック２内に物理的に捕捉されかつペースト状のゼオライトでイオン交換され吸着される。その結果、汚染された水が浄化される。
【００２５】
第一実施形態に係る除去装置１は、骨材寸法が異なる、複数の人工ゼオライトブロック２によって構成されている。具体的には、人工ゼオライトブロック２の骨材寸法が、水の流れの上流側から下流側に向けて、段階的に徐々に小さくなっている。そのため、人工ゼオライトブロック２を通過する水の流速が徐々に低下し、イオン化した放射性セシウムや粘土等に吸着した放射性セシウムをより効果的に吸着・捕捉することができる。また、汚染物質の大きさに応じた捕捉が可能となる。つまり、相対的に大きい懸濁物質（粘土等に吸着した放射性セシウム）は、上流側に設置された第一の人工ゼオライトブロック２１によって捕捉され、相対的に小さい汚染物質は、第一の人工ゼオライトブロック２１よりも下流側に設置された第二の人工ゼオライトブロック２２や第三の人工ゼオライトブロック２３によって捕捉される。
【００２６】
また、例えば、上流側に設置された第一の人工ゼオライトブロック２１の吸着・捕捉性能が低下した場合は、吸着・捕捉性能が低下した第一の人工ゼオライトブロック２１のみ
を交換することができる。
【００２７】
また、第一実施形態に係る除去装置１は、骨材の表面がゼオライトを混入したペースト状の結合材で被覆され、ペースト状のゼオライトで被覆された骨材を結合材で固化することで形成されており、ゼオライト鉱物あるいは、プルシアンブルーを用いてイオン交換し、フィルター材を通して水を浄化する従来技術や、凝集沈殿剤を用いてフロックを形成させ、清濁分離することにより、水を浄化する従来技術と比較して取扱いが容易となり、また従来よりも安価に提供することができる。
【００２８】
＜変形例＞
図３は、第一実施形態に係る汚染物質の除去装置の変形例を示す。変形例に係る除去装置１は、第一の人工ゼオライトブロック２１、第二の人工ゼオライトブロック２２、第三の人工ゼオライトブロック２３が何れも５号砕石によって構成されている。但し、第一の人工ゼオライトブロック２１の空隙率は２５％であり、第二の人工ゼオライトブロック２２の空隙率は２０％であり、第三の人工ゼオライトブロック２３の空隙率は１５％となっている。空隙率は、結合材の割合、骨材を被覆するペースト状のゼオライトの厚さを調整することで変更することができる。変形例に係る除去装置１によっても、上述した第一実施形態に係る除去装置１と同様の作用効果が得られる。
【００２９】
＜第二実施形態＞
＜＜構成＞＞
図４は、第二実施形態に係る汚染物質の除去装置の上面図を示す。図５は、第二実施形態に係る汚染物質の除去装置の側面図を示す。図４、図５に示すように、第二実施形態に係る除去装置１Ａは、複数の人工ゼオライトブロック２、垂直方向に複数段設けられ、人工ゼオライトブロック２を保持する保持部材５、人工ゼオライトブロック２を吊る吊り具６、吊り具６を支持する枠体７を備える。第二実施形態では、除去装置１Ａを集水桝４に設置する場合を例に説明する。
【００３０】
複数の人工ゼオライトブロック２は、第一実施形態と同じく、骨材寸法が異なる３種類の人工ゼオライトブロック２によって構成されている。但し、第二実施形態では、人工ゼオライトブロック２の長手方向と水の流れる方向（排水側溝の長手方向）とが直交するように、人工ゼオライトブロック２が集水桝４の底部に横置きされ、同じ種類の人工ゼオライトブロック２が垂直方向に３段積み上げられている。具体的には、上流側において第一の人工ゼオライトブロック２１が垂直方向に３段積み上げられ、下流側において第三の人工ゼオライトブロック２３が垂直方向に積み上げられ、その間に第二の人工ゼオライトブロック２２が垂直方向に積み上げられている。水平方向では、３種類の人工ゼオライトブロック２が隙間なく配置され、垂直方向では、人工ゼオライトブロック２の間に保持部材５が介在している。
【００３１】
保持部材５は、本発明の固定ユニットに相当し、平行に配置された２本の棒状部材からなり、垂直方向に３段設けられ、各段の人工ゼオライトブロック２を保持する。第二実施形態では、保持部材５が水の流れる方向と平行に設置されているが、保持部材５の向きは特に限定されない。保持部材５は、両端部が、隙間なく設置された人工ゼオライトブロック２から延出するようその長さが設計されている。保持部材５の両端部には、吊り具６によって巻き上げ自在なチェーン８が接続される。
【００３２】
吊り具６は、チェーン８を巻き上げることで、人工ゼオライトブロック２を吊り上げる。チェーン８を接続する保持部材５を変更することで、吊り上げる人工ゼオライトブロック２の数を変更することができる。例えば、下段の保持部材５にチェーン８を接続した場合には、３段全ての人工ゼオライトブロック２が吊り上げられる。吊り具６には、チェー
ンブロックが例示される。なお、第二実施形態では、吊り具６が４機設置されているが、天秤を用い、吊り具６は、上流側と下流側に１機、合計２機としてもよい。
【００３３】
枠体７は、集水桝４を跨ぐように設置され、吊り具６を支持する。枠体７は、集水桝４の天端に載置される枠状のベース部７１、ベース部７１の角部から立ち上げられた４本の柱部７２、４本の柱部７２の頂部に接続された枠状の梁部７３によって構成されている。枠状の梁部７３のうち、集水桝４を横断する梁部７３に吊り具６が接続されている。
【００３４】
＜＜人工ゼオライトブロックの交換方法＞＞
図６は、第二実施形態に係る汚染物質の除去装置において、人工ゼオライトブロックを交換する様子を示す。まず、交換する人工ゼオライトブロック２の上方に枠体７、吊り具６が設置される。次に、チェーン８が保持部材５に接続される。図６（ａ）では、中段の保持部材５にチェーン８が接続されている。次に、吊り具６により、チェーン８が巻き上げられる。図６（ｂ）では、中段及び上段の人工ゼオライトブロック２が吊り上げられている。中段及び上段の人工ゼオライトブロック２が吊り上げられると、下段の人工ゼオライトブロック２が交換される。交換後、中段及び上段の人工ゼオライトブロック２が下される。枠体７、吊り具６が撤去され、人工ゼオライトブロック２の交換が終了する。
【００３５】
＜＜作用効果＞＞
第二実施形態に係る除去装置１Ａは、第一実施形態に係る除去装置１の効果に加えて以下の効果を奏する。水路（例えば、第二実施形態のような集水桝４）では、水路の垂直方向の位置によって、配置された人工ゼオライトブロック２の吸着・捕捉性能が異なってくる。例えば、水路の底部は常に水が流れていることから、水路の底部側（下段）の人工ゼオライトブロック２の吸着・捕捉性能が最も早く低下する可能性が高い。第二実施形態に係る除去装置１によれば、交換対象となる人工ゼオライトブロック２の上方に位置する人工ゼオライトブロック２を容易に吊り上げることができる。その結果、吊り上げた人工ゼオライトブロック２の下方に位置する人工ゼオライトブロック２を容易に交換することができる。
【００３６】
＜第三実施形態＞
＜＜構成＞＞
図７は、第三実施形態に係る汚染物質の除去装置の上面図を示す。図８は、第三実施形態に係る汚染物質の除去装置の側面図を示す。図７、図８に示すように、第三実施形態に係る除去装置１Ｂは、複数の人工ゼオライトブロック２、垂直方向に複数段設けられ、人工ゼオライトブロック２を保持する保持部材５ａ、保持部材５ａを支持する支持部材９、人工ゼオライトブロック２を吊る吊り具６ａ、吊り具６ａを支持する枠体７ａを備える。第三実施形態では、除去装置１Ｂを排水側溝３に設置する場合を例に説明する。
【００３７】
複数の人工ゼオライトブロック２は、第一実施形態と同じく、骨材寸法が異なる３種類の人工ゼオライトブロック２によって構成されている。また、複数の人工ゼオライトブロック２は、第二実施形態と同様に配置されている。
【００３８】
保持部材５ａは、平行に配置された２本の棒状部材からなり、垂直方向に３段設けられ、各段の人工ゼオライトブロック２を保持する。第三実施形態においても、保持部材５ａが水の流れる方向と平行に設置されているが、保持部材５ａの向きは特に限定されない。保持部材５ａは、両端部が、隙間なく設置された人工ゼオライトブロック２から延出するようその長さが設計されている。保持部材５ａの一端は、ヒンジ９４を介して保持部材５ａに接続され、他端には、吊り具６ａによって吊り上げ自在なワイヤ１１が接続される。なお、保持部材５ａは、相対的に下の段の保持部材５ａを吊り上げる際に、相対的に上の段の保持部材５ａと緩衝しないよう、下段の保持部材５ａが最も長く、次に中段の保持部
材５ａが長く、上段の保持部材５ａが最も短く形成されている。
【００３９】
支持部材９は、排水側溝３の底部に設置され、排水側溝３の幅方向に延びる台座９１、台座９１の長手方向の両端部から立ち上げられた２本の柱部９２、２本の柱部９２を支持するブレース９３、２本の柱部９２に渡された棒状のヒンジ９４、２本の柱部９２に接続され、保持部材５ａの水平状態を維持し、保持部材５ａが支持する人工ゼオライトブロック２を支える水平維持部材９５を備える。保持部材５ａと支持部材９は、本発明の固定ユニットに相当する。
【００４０】
吊り具ａ６は、ワイヤ１１を吊り上げることで、人工ゼオライトブロック２を吊り上げる。ワイヤ１１を接続する保持部材５ａを変更することで、吊り上げる人工ゼオライトブロック２の数を変更することができる。例えば、中段の保持部材５にワイヤ１１を接続した場合には、中段及び上段の人工ゼオライトブロック２が吊り上げられる。吊り具６ａには、ジャッキが例示される。また、第三実施形態では、２機のジャッキと、この２機のジャッキ渡す渡し部材１２が用いられる。なお、第三実施形態では、２機のジャッキが排水側溝３の天端に設置され、これら２機のジャッキを渡すように渡し部材１２がジャッキの上部に設置されている。渡し部材１２には、ワイヤ１１が接続されており、ワイヤ１１の先端は保持部材５に接続自在である。
【００４１】
＜＜人工ゼオライトブロックの交換方法＞＞
図９は、第三実施形態に係る汚染物質の除去装置において、人工ゼオライトブロックを交換する様子を示す。まず、交換する人工ゼオライトブロック２の上方に吊り具６ａとしてのジャッキ、渡し部材１２、ワイヤ１１が設置される。次に、ワイヤ１１が保持部材５に接続される。図９（ａ）では、中段の保持部材５ａにワイヤ１１が接続されている。次に、吊り具６ａとしてのジャッキがジャッキアップされ、渡し部材１２が上方へ移動する。中段及び上段の保持部材５ａの一端は、夫々ヒンジ９４と接続されており、ヒンジ９４を軸として、保持部材５ａが上方へ回動する。その結果、中段及び上段の保持部材５ａの他端が上方へ持ち上げられる。図９（ｂ）では、中段及び上段の人工ゼオライトブロック２が吊り上げられている。中段及び上段の人工ゼオライトブロック２が吊り上げられると、下段の人工ゼオライトブロック２が交換される。交換後、吊り具６ａとしてのジャッキがジャッキダウンされ、中段及び上段の人工ゼオライトブロック２が下される。吊り具６ａとしてのジャッキ、渡し部材１２、ワイヤ１１が撤去され、人工ゼオライトブロック２の交換が終了する。
【００４２】
＜＜作用効果＞＞
第三実施形態に係る除去装置１Ｂは、第一実施形態に係る除去装置１の効果に加えて以下の効果を奏する。水路（例えば、第三実施形態のような排水側溝３）では、水路の垂直方向の位置によって、配置された人工ゼオライトブロック２の吸着・捕捉性能が異なってくる。例えば、水路の底部は常に水が流れていることから、水路の底部側（下段）の人工ゼオライトブロック２の吸着・捕捉性能が最も早く低下する可能性が高い。第三実施形態に係る除去装置１Ｂによれば、交換対象となる人工ゼオライトブロック２の上方に位置する人工ゼオライトブロック２を容易に吊り上げることができる。その結果、吊り上げた人工ゼオライトブロック２の下方に位置する人工ゼオライトブロック２を容易に交換することができる。
【００４３】
以上、本発明の好適な実施形態について説明したが、本発明に係る汚染物質の除去装置はこれらに限らず、可能な限りこれらの組合せを含むことができる。
【符号の説明】
【００４４】
１・・・汚染物質の除去装置
２・・・人工ゼオライトブロック
２１・・・第一の人工ゼオライトブロック
２２・・・第二の人工ゼオライトブロック
２３・・・第三の人工ゼオライトブロック
３・・・排水側溝
４・・・集水桝
５、５ａ・・・保持部材
６、６ａ・・・吊り具
７、７ａ・・・枠体
７１・・・ベース部
７２・・・柱部
７３・・・梁部
８・・・チェーン
９・・・支持部材
１０・・・じゃかご
９１・・・台座
９２・・・柱部
９３・・・ブレース
９４・・・ヒンジ
９５・・・水平維持部材
１１・・・ワイヤ
１２・・・渡し部材
【図１】
2013234948.tif 000003
【図２】
2013234948.tif 000004
【図３】
2013234948.tif 000005
【図４】
2013234948.tif 000006
【図５】
2013234948.tif 000007
【図６】
2013234948.tif 000008
【図７】
2013234948.tif 000009
【図８】
2013234948.tif 000010
【図９】
2013234948.tif 000011